(57)【特許請求の範囲】
【請求項１】
建物の陸屋根の周囲に庇が取り付けられた陸屋根の防水構造であって、前記陸屋根には、複数枚の防水シート又は防水シート被覆金属板が隙間を設けて敷き並べられて陸屋根の上面から側縁部を通過して陸屋根の周囲の壁の上端部まで取り付けられ、庇の上側縁部が、防水シート又は防水シート被覆金属板の上から陸屋根の周囲の壁の上端部に、防水シート又は防水シート被覆金属板と隣の防水シート又は防水シート被覆金属板との隙間近傍に庇と隣の庇の間に施工者の手が挿入可能な隙間を設けて、取り付けられ、帯状の防水シートが陸屋根の上面から庇の隙間を通過して防水シート又は防水シート被覆金属板の端部まで防水シート又は防水シート被覆金属板と隣の防水シート又は防水シート被覆金属板との隙間を跨いで架け渡され、この帯状の防水シートの側縁部が防水シート又は防水シート被覆金属板に水密に接合され、庇と隣の庇とに架け渡されて庇接続部材が庇の隙間を覆った状態に取り付けられていることを特徴とする陸屋根の防水構造。
【請求項２】
陸屋根の周囲の壁が陸屋根の面より上方に突出していることを特徴とする請求項１記載の陸屋根の防水構造。
【請求項３】
建物が、複数個の建物ユニットを組み立て、この上に屋根ユニットを取り付けたユニット建物であることを特徴とする請求項１または２記載の陸屋根の防水構造。
【請求項４】
陸屋根の周囲に位置する外壁部分に上方に突出した壁と、陸屋根の上面からこの壁の上端部まで取り付けられた防水シート又は防水シート被覆金属板と、この防水シート又は防水シート被覆金属板の上から壁の上端部に上側縁が取り付けられた庇とを有する屋根ユニットと、建物ユニットとを製造し、複数個の建物ユニットを組み立て、最上階の建物ユニットの上に屋根ユニットを、屋根ユニットの庇と隣の屋根ユニットの庇との間に施工者の手が挿入可能な隙間を設けて取り付け、屋根ユニットの防水シート又は防水シート被覆金属板と、隣の屋根ユニットの防水シート又は防水シート被覆金属板とに帯状の防水シートを架け渡し、この帯状の防水シートを庇の隙間を通過させて防水シート又は防水シート被覆金属板の端部まで延長し、この帯状の防水シートの側縁部を防水シート又は防水シート被覆金属板に水密に接合して帯状の防水シートを屋根ユニットに取り付け、庇接続部材を屋根ユニットの庇と隣の屋根ユニットの庇との隙間を覆った状態に架け渡して取り付けることを特徴とする陸屋根の防水施工方法。
【請求項５】
施工者の手が挿入可能な隙間が２５０ｍｍ以上であることを特徴とする請求項１記載の陸屋根の防水構造または請求項４記載の陸屋根の防水施工方法。
【発明の詳細な説明】
【０００１】
【発明の属する技術分野】
本発明は陸屋根の防水構造および防水施工方法に関する。
特に、本発明はユニット建物に好適な陸屋根の防水構造および防水施工方法に関する。
【０００２】
【従来の技術】
ユニット建物は、運搬可能な一定の大きさの箱形の、且つ、内部、外部の仕上げられた建物ユニットを、予め、工場で製造し、この建物ユニットの複数個を施工現場に運搬し、施工現場で組み立てて建物となすものであって、現場施工期間が短く、且つ、寸法精度の良い標準化された建物となる特徴があることから、近年、広く採用されている。
【０００３】
このユニット建物には種々な構造が知られている。
例えば、特公昭５８−３０９７８号公報（従来例１と称する）には、床パネルと壁パネルを組み立てた建物ユニットを複数個を組み立て、この上に屋根ユニットを取り付けたユニット建物が記載されている。
【０００４】
一方、実公平６−３５０１４号公報（従来例２と称する）には陸屋根の防水構造が記載されている。
この陸屋根の防水構造は、複数枚の合成樹脂被覆金属板を隙間を設けて敷き並べ、この合成樹脂被覆金属板と隣の合成樹脂被覆金属板との隙間を跨いで帯状の防水シートを架け渡したものである。
【０００５】
又、庇のある陸屋根の構造としては、特開平９−２５６５００号公報（従来例３と称する）に記載されている構造が知られている。
この庇のある陸屋根の構造は、陸屋根の周囲に上方に突出した壁を有する屋根ユニットの壁の上端部に庇の上側縁部を取り付けたものであり、この庇の下側に換気室を設け、壁には、屋根裏空間から換気室に通ずる換気孔が設けられたものである。
【０００６】
【発明が解決しようとする課題】
従来例２に記載ある陸屋根の防水構造は帯状の防水シートを合成樹脂被覆金属板に取り付けるだけでよく、極めて簡単に施工できるので好ましい。特に、従来例１記載のようなユニット建物では、工場等で複数個の建物ユニットと合成樹脂被覆金属板を取り付けた屋根ユニットとを製造し、これを施工現場で組み立てるから、組み立てた屋根ユニットの合成樹脂被覆金属板と隣の屋根ユニットの合成樹脂被覆金属板との間に必然的に隙間が生ずる。この屋根ユニットの合成樹脂被覆金属板と隣の屋根ユニットの合成樹脂被覆金属板との間の隙間を防水するためには、従来例２記載の構造が極めて好適である。
【０００７】
一方、建物には周囲に庇を取り付けることが多い。
しかし、本発明者が庇を取り付けた建物に上記陸屋根の防水構造で防水しようとしたが、上記陸屋根の防水構造では、庇を取り付けた部分には庇を取り付けるための取付具等があって凹凸状になっているので、この凹凸状の部分では合成樹脂被覆金属板が沿い難く防水性のよい防水構造にすることが極めて困難であった。
【０００８】
そこで、陸屋根に取り付けられた合成樹脂被覆金属板と隣の合成樹脂被覆金属板とに帯状の防水シートを架け渡して取り付けて防水工事を完成させた後で、合成樹脂被覆金属板の上に庇を取り付けるようにしたが、この方法では、陸屋根の防水工事が完成するまで、即ち、帯状の防水シートの取り付けが終わるまで、庇を取り付けることができず不便であるという問題がある。
換言すると、防水構造が完成する前でも、又、完成した後でも自由に庇を取り付けることができようにすると、施工手順の自由度が増加し、現場施工期間を短くすることができるというメリットがあるが、かかることが不可能であり不便であった。
【０００９】
特に、ユニット建物では、庇を取り付けた後に防水工事ができるようにすると、工場で屋根ユニットに庇を取り付け、施工現場では屋根ユニットに帯状の防水シートを取り付けるだけにすることができ、現場施工工数が少なくなりし、現場施工期間が短くなるという極めて大きなメリットがある。
そこで、本発明の目的は、防水構造が完成する前でも、又、完成した後でも自由に庇を取り付けることができる陸屋根の防水構造及びこの防水構造にする防水施工方法を提供することである。
【００１０】
【課題を解決するための手段】
本発明は上記目的を達成するためになされたものであって、請求項１記載の発明は、建物の陸屋根の周囲に庇が取り付けられた陸屋根の防水構造であって、前記陸屋根には、複数枚の防水シート又は防水シート被覆金属板が隙間を設けて敷き並べられ、陸屋根の上面から側縁部を通過して陸屋根の周囲の壁の上端部まで取り付けられ、庇の上側縁部が、防水シート又は防水シート被覆金属板の上から陸屋根の周囲の壁の上端部に、防水シート又は防水シート被覆金属板と隣の防水シート又は防水シート被覆金属板との隙間近傍に庇と隣の庇の間に施工者の手が挿入可能な隙間を設けて、取り付けられ、帯状の防水シートが陸屋根の上面から庇の隙間を通過して防水シート又は防水シート被覆金属板の端部まで防水シート又は防水シート被覆金属板と隣の防水シート又は防水シート被覆金属板との隙間を跨いで架け渡され、この帯状の防水シートの側縁部が防水シート又は防水シート被覆金属板に水密に接合され、庇と隣の庇とに架け渡されて庇接続部材が庇の隙間を覆った状態に取り付けられているものである。
【００１１】
請求項２記載の発明は、請求項１記載の発明における陸屋根の周囲の壁が陸屋根の面より上方に突出しているものである。
【００１２】
請求項３記載の発明は、請求項１または２記載の発明における建物が、複数個の建物ユニットを組み立て、この上に屋根ユニットを取り付けたユニット建物であるものである。
【００１３】
請求項４記載の発明は、陸屋根の周囲に位置する外壁部分に上方に突出した壁と、陸屋根の上面からこの壁の上端部まで取り付けられた防水シート又は防水シート被覆金属板と、この防水シート又は防水シート被覆金属板の上から壁の上端部に上側縁が取り付けられた庇とを有する屋根ユニットと、建物ユニットとを製造し、複数個の建物ユニットを組み立て、最上階の建物ユニットの上に屋根ユニットを、屋根ユニットの庇と隣の屋根ユニットの庇との間に施工者の手が挿入可能な隙間を設けて取り付け、屋根ユニットの防水シート又は防水シート被覆金属板と、隣の屋根ユニットの防水シート又は防水シート被覆金属板とに帯状の防水シートを架け渡し、この帯状の防水シートを庇の隙間を通過させて防水シート又は防水シート被覆金属板の端部まで延長し、この帯状の防水シートの側縁部を防水シート又は防水シート被覆金属板に水密に接合して帯状の防水シートを屋根ユニットに取り付け、庇接続部材を屋根ユニットの庇と隣の屋根ユニットの庇との隙間を覆った状態に架け渡して取り付けるものである。
【００１４】
請求項５記載の発明は、請求項１または４記載の発明における施工者の手が挿入可能な隙間が２５０ｍｍ以上であるものである。
【００１５】
請求項４記載の発明では、屋根ユニットの庇と隣の屋根ユニットの庇との間に２５０ｍｍ以上の隙間を設けて屋根ユニットを取り付けているが、このようにする手段としては種々ある。例えば、屋根ユニットを据付けたときに、建物ユニットの庇と隣の建物ユニットの庇との間が施工者の手が挿入可能なように、予め、庇を控えて取り付けていてもよいし、建物ユニットと隣の建物ユニットの間の距離を拡げて組み立ててもよいし、この両方であってもよい。特に、庇を控えて取り付けていると、従来の同様にして屋根ユニットを建物ユニットに取り付けだけで施工者の手が挿入可能な隙間を設けることができるので便利である
【００１６】
（作用）
請求項１記載の発明では、庇の上側縁部が、防水シート又は防水シート被覆金属板の上から陸屋根の周囲の壁の上端部に取り付けられている。即ち、防水シート又は防水シート被覆金属板は直接壁の上端部に取り付けられ、この上に庇が取り付けられている。従って、庇を取り付けるための取付具等の凹凸があっても、この凹凸に関係なく、この壁の上端部に沿って防水シート又は防水シート被覆金属板を支障なく取り付けることができる。
【００１７】
又、この庇が、防水シート又は防水シート被覆金属板と隣の防水シート又は防水シート被覆金属板との隙間近傍に庇と隣の庇との間に施工者の手が挿入可能な隙間を設けて、取り付けられているから、帯状の防水シートを防水シート又は防水シート被覆金属板と隣の防水シート又は防水シート被覆金属板との間に取り付ける施工は、この隙間から施工者が手を入れて施工できる。従って、帯状の防水シートの取付は庇を取り付けた後でも施工できる。勿論、庇を取り付ける前でも施工できる。
【００１８】
又、庇と隣の庇とに架け渡されて庇接続部材が庇の隙間を覆った状態に取り付けられているから、この防水シートの取付工事が終了した後に、庇接続部材を庇に取り付けることにより、庇の隙間から雨水が漏れなくなる。
【００１９】
請求項２記載の発明では、陸屋根の周囲の壁が陸屋根の面より上方に突出しているから、陸屋根の上に降った雨水が壁を伝って流れ落ちることがない。
【００２０】
請求項３記載の発明では、建物が複数個の建物ユニットを組み立て、この上に屋根ユニットを取り付けたユニット建物であるから、屋根ユニットの陸屋根に予め防水シート又は防水シート被覆金属板や庇を取り付け、施工現場では、屋根ユニットを建物ユニットの上に取り付け、この屋根ユニットの防水シート又は防水シート被覆金属板と、隣の屋根ユニットの防水シート又は防水シート被覆金属板との隙間に帯状の防水シートを架け渡して取り付けたり、庇と隣の建物ユニットの庇との間に庇接続部材を取り付けるだけで、陸屋根の防水構造を完成させることができる。
このようにすることにより、現場施工工数が少なくなり、現場施工期間が短くなる。
【００２１】
請求項４記載の発明では、先ず、陸屋根の周囲に位置する外壁部分に上方に突出した壁と、陸屋根の上面からこの壁の上端部まで取り付けられた防水シート又は防水シート被覆金属板と、この防水シート又は防水シート被覆金属板の上から壁の上端部に上側縁が取り付けられた庇とを有する屋根ユニットと、建物ユニットとを製造するから、この建物ユニットと屋根ユニットはどこで製造してもよい。例えば，設備の整った工場等で製造してもよい。
このように、設備の整った工場等で建物ユニット、屋根ユニットを製造すると、寸法精度よく速く安価に製造できる。
【００２２】
次に、複数個の建物ユニットを組み立て、最上階の建物ユニットの上に屋根ユニットを、屋根ユニットの庇と隣の屋根ユニットの庇との間に施工者の手が挿入可能な隙間を設けて取り付ける。
この建物ユニットを組み立てたり、最上階の建物ユニットの上に屋根ユニットを取り付けることは従来と同じであるから簡単に行うことができる。唯、従来と異なることは屋根ユニットの庇と隣の屋根ユニットの庇との間に施工者の手が挿入可能な隙間を設けていることである。
【００２３】
次に、屋根ユニットの防水シート又は防水シート被覆金属板と、隣の屋根ユニットの防水シート又は防水シート被覆金属板とに帯状の防水シートを架け渡し、この帯状の防水シートを庇の隙間を通過させて防水シート又は防水シート被覆金属板の端まで延長し、この帯状の防水シートの側縁部を防水シート又は防水シート被覆金属板に水密に接合して帯状の防水シートを屋根ユニットに取り付ける。
【００２４】
このように、防水シートを庇の隙間を通過させて防水シート又は防水シート被覆金属板の端まで延長したり、この庇の隙間部分における防水シート又は防水シート被覆金属板に防水シートの側縁部を接合させる施工は、庇と隣の屋根ユニットの庇との間の隙間が施工者の手が挿入可能であるから、この隙間から簡単に施工できる。
尚、庇と隣の庇との間の隙間以外の陸屋根の上面では、従来の同じように、防水シート又は防水シート被覆金属板と隣の防水シート又は防水シート被覆金属板とに帯状の防水シートを架け渡し、この帯状の防水シートの側縁部を防水シート又は防水シート被覆金属板に水密に接合すればよいので簡単に施工できる。
【００２５】
最後に、庇接続部材を屋根ユニットの庇と隣の屋根ユニットの庇との隙間を覆った状態に架け渡して取り付けると、庇と隣の屋根ユニットの庇との隙間から雨水が漏れなくなり、防水工事は終了する。
【００２６】
請求項５記載の発明では、施工者の手が挿入可能な隙間が２５０ｍｍ以上であるから、この隙間から施工者が手を挿入することができる。
【００２７】
【発明の実施の形態】
次に、本発明の実施例を説明する。
図１〜図５は本発明の一実施例を示すもので、図１（イ）は陸屋根の平面図、（ロ）は（イ）のＡ部分の庇接続部材を取り外した状態を示す説明図、図２は図１（イ）のＢ−Ｂ線における断面図、図３は図１（イ）のＣ部分の屋根ユニットの一部切欠説明図、図４（イ）は建物ユニットの説明図、（ロ）は外壁部分の壁の構造を示す説明図、図５はユニット建物を示す説明図である。
【００２８】
図１〜図５において、１はユニット建物であり、このユニット建物１は、図５に示すように、基礎９５の上に１階の建物ユニット２が５個据え付けられ、この１階の建物ユニット２の上に２階の建物ユニット２が５個据え付けられ、この上に屋根ユニット３が５個据え付けられたものである。
【００２９】
建物ユニット２は、図４（イ）に示すように、床パネル２１と、この床パネル２１の周囲に立設された壁パネル２２とからなる。
壁パネル２２は木材を組み立てた枠２２１の屋内側に石膏ボードの板材２２２を、屋外側に合板の板材２２３をそれぞれ取り付けたものであり、外壁部分では、図４（ロ）に示すように、板材２２３の屋外側に図示しないスペーサーを挟んで硬質木片セメント板の外壁材２２４が取り付けられている。従って、外壁材２２４と板材２２３との間には空気流通路２２５が形成されている。
床パネル２１は木材を組み立てた枠２１１の上面にパーチクルボードの床材２１２が取り付けられたものである。
【００３０】
屋根ユニット３は、図３に示すように、陸屋根本体３１と、陸屋根の周囲に設けられる壁４と、防水シート５とからなる。
尚、陸屋根の周囲に面しない屋根ユニット３には壁４を取り付ける必要がない。
【００３１】
陸屋根本体３１は、木材で台状に組み立てられた枠３２と、この枠３２の下面に取り付けられた石膏ボードの天井材３３と、壁４の上面に取り付けられた屋根下地材３４とからなる。
【００３２】
壁４は陸屋根本体３１の周囲に面している部分に、一部が上方に突出した状態に取り付けられるものであって、柱４１と上枠４２と下枠４３とを矩形に組み立てた枠４４と、この枠４４の屋外側に取り付けられた合板の板材４５と、陸屋根本体３１から上方に突出している部分の屋内側面に取り付けられた合板の板材４６とからなる。そして、この枠４４の屋外側の板材４５に換気孔４７が設けられている。
【００３３】
このように、壁４が陸屋根本体３１より上方に突出しているから、陸屋根３の上に降った雨水が壁４を伝って流れ落ちることがない。尚、陸屋根本体３１の上に降った雨水は図示しない竪樋で地上に導かれる。
防水シート５は塩化ビニル樹脂フィルムであり、この防水シート５は、図２、図３に示すように、屋根下地板３２の上面から壁４の屋内側の上方に突出する部分、壁４の上端部を経て屋外側まで延長されて取り付けられている。
【００３４】
７は鋼板の表面に塩化ビニル樹脂フィルムを被覆したものを適宜形状に成形した庇であり、この庇７は、図１（ロ）に示すように、上板７２と、斜め板７３と、ほぼ垂直な縦板７４と、ほぼ水平な下板７５とからなる。
そして、図２に示すように、屋根ユニット３の壁４の所々に枠体７１が押し当てられ、枠体７１の上端部７１１が柱４の上枠４２に防水シート５の上からポリエチレン発泡体シートからなるパッキン７１３を介してボルト・ナット７９で取り付けられ、枠体７１の下端部７１２が柱４の側面にボルト・ナット７８で取り付けられていて、この枠体７１に、上板７２、斜め板７３、縦板７４、下板７５が取り付けられている。
【００３５】
このように柱４の上端面に庇７の上側縁部が防水シート５の上からユニット建物１の周囲に突出した壁４の上端面に枠体７１を介してボルト・ナット７９で取り付けられているから、庇７を取り付けるためにボルト・ナット７９の凹凸があっても、この凹凸に関係なく、壁４の上端部に沿って防水シート５を支障なく水密に取り付けることができる。
【００３６】
この庇７は、図３に示すように、屋根ユニット３の端からＸ（１６５ｍｍ）だけ控えて取り付けられている。
従って、この屋根ユニット３を並べて取り付けると、図１（ロ）に示すように、屋根ユニット３の庇７と隣の屋根ユニット３の庇７との間にほぼ２Ｘ（３３０ｍｍ）の隙間が形成される。
【００３７】
６は帯状の防水シートであり、この帯状の防水シート６は図１（イ）に示すように、屋根ユニット３を並べて取り付けた後、屋根ユニット３の防水シート５と、隣の屋根ユニット３の防水シート５との隙間を跨いで架け渡され、図１（ロ）に示すように、３３０ｍｍの庇７と隣の庇７との間の隙間を通過させて防水シート５の端部まで延長されて取り付けられ、この帯状の防水シート６の側縁部が防水シート５に水密に接合されている。
【００３８】
８は塩化ビニル樹脂被覆鋼板の庇接続部材であり、この庇接続部材８は、図１（ロ）に示すように、上側接続部材８１と、斜め接続部材８２と、垂直接続部材８３と、軒天接続部材８４とからなる。
この上側接続部材８１は庇７の上板７２に、斜め接続部材８２は斜め板７３に、垂直接続部材８３は垂直板７４に、軒天接続部材８４は下板７５にそれぞれ差し渡されて取り付けられている。
【００３９】
次に、この陸屋根の防水構造の施工方法について説明する。
工場で屋根ユニット３と建物ユニット２を製造する。
屋根ユニット３の製造方法を説明すると、先ず、陸屋根本体３１と壁４とを製造し、陸屋根本体３１の陸屋根の周囲に位置する場所に壁４を取り付ける。
【００４０】
次に、陸屋根本体３１の上面に防水シート５を取り付ける。この際、壁４が取り付けられている陸屋根本体３１では、この防水シート５を、陸屋根本体３１の上面からこの壁４の上端部まで延長して取り付ける。
このように、設備の整った工場で建物ユニット２、屋根ユニット３を製造するから、建物ユニット２や屋根ユニット３等は寸法精度よく速く安価に製造できる。
【００４１】
次に、この建物ユニット２や屋根ユニット３等を施工現場に運搬する。
施工現場では、予め設けられている基礎９５の上に５個の建物ユニット２を据え付け、この上に２階の建物ユニット２を５個据え付け、この上に５個の屋根ユニット３を据え付ける。
すると、庇７が１６５ｍｍ控えて取り付けられているから、庇７と隣の屋根ユニット３の庇７との間に３３０ｍｍの隙間が形成される。
【００４２】
次に、屋根ユニット３の防水シート５と、隣の屋根ユニット３の防水シート５とに帯状の防水シート６を架け渡し、この帯状の防水シート６を庇７の３３０ｍｍの隙間を通過させて防水シート５の端まで延長し、この帯状の防水シート６の側縁部を防水シート５に水密に接合して帯状の防水シート６を屋根ユニット３に取り付ける。
【００４３】
このように、帯状の防水シート６を庇７の隙間を通過させて防水シート５の端まで延長したり、この庇７の隙間部分における防水シート５に帯状の防水シート６の側縁部を水密に接合させる施工は、庇７と隣の屋根ユニット３の庇７との間の隙間が３３０ｍｍあるから、この隙間から手を入れて簡単に施工できる。
【００４４】
尚、庇７と隣の庇７との間の隙間以外の陸屋根本体３１の上面では、従来の同じように、防水シート５と隣の防水シート５とに帯状の防水シート６を架け渡し、この帯状の防水シート６の側縁部を防水シート５に水密に接合すればよいので簡単に施工できる。
最後に、庇接続部材８を屋根ユニット３の庇７と隣の屋根ユニット３の庇７とに架け渡し、隙間を覆った状態に取り付けると、庇７と隣の屋根ユニットの庇７との隙間から雨水が漏れなくなり、防水工事は終了する。
【００４５】
このように、施工現場では、建物ユニット２や屋根ユニット３を据え付けた後に、帯状の防水シート６や庇接続部材８を取り付けるだけであるから、施工が極めて簡単であり、現場施工工数が少なくなりる結果、現場施工期間が短くなる。従って、現場施工期間が短いというユニット建物１の特徴が十分発揮でき、極めて価値がある。
【００４６】
【発明の効果】
請求項１記載の発明では、庇の上側縁部が、防水シート又は防水シート被覆金属板の上から壁の上端部に取り付けられているから、庇を取り付けるために取付具等の凹凸があっても、この凹凸に関係なく、この防水シートを壁の上端部に沿って防水シート又は防水シート被覆金属板を支障なく取り付けることができる。
【００４７】
又、この庇が、防水シート又は防水シート被覆金属板と隣の防水シート又は防水シート被覆金属板との隙間近傍に庇と隣の庇との間に施工者の手が挿入可能な隙間を設けて、取り付けられているから、帯状の防水シートの取付は庇を取り付けた後でも施工できる。勿論、庇を取り付ける前でも施工できるので、施工手順の自由度が増加し現場施工期間を短くすることができ、極めて便利である。
【００４８】
又、庇と隣の庇とに架け渡されて庇接続部材が庇の隙間を覆った状態に取り付けられているから、この防水シートの取付が終了した後に、庇接続部材を庇に取り付けることにより、庇の隙間から雨水が漏れなくなる。
【００４９】
請求項２記載の発明では、壁が陸屋根の面より上方に突出しているから、陸屋根の上に降った雨水が壁を伝って流れ落ちることがないので、外壁が汚れなく便利である。
【００５０】
請求項３記載の発明では、建物が複数個の建物ユニットを組み立て、この上に屋根ユニットを取り付けたユニット建物であるから、屋根ユニットの陸屋根に予め防水シート又は防水シート被覆金属板や庇を取り付けることにより、現場施工工数が少なくなり、その結果、現場施工期間が短くなり便利である。
【００５１】
請求項４記載の発明では、外壁部分に上方に突出した壁と、上面からこの壁の上端部まで取り付けられた防水シート又は防水シート被覆金属板と、この防水シート又は防水シート被覆金属板の上から壁の上端部に上側縁が取り付けられた庇とを有する屋根ユニットと、建物ユニットとを製造するから、設備の整った工場等で建物ユニット、屋根ユニットを製造することができ、寸法精度よく速く安価に製造できる。
【００５２】
次に、複数個の建物ユニットを組み立て、最上階の建物ユニットの上に屋根ユニットを、屋根ユニットの庇と隣の屋根ユニットの庇との間に施工者の手が挿入可能な隙間を設けて取り付け、屋根ユニットの防水シート又は防水シート被覆金属板と、隣の屋根ユニットの防水シート又は防水シート被覆金属板とに帯状の防水シートを架け渡し、この帯状の防水シートを庇の隙間を通過させて防水シート又は防水シート被覆金属板の端まで延長し、この帯状の防水シートの側縁部を防水シート又は防水シート被覆金属板に水密に接合して帯状の防水シートを屋根ユニットに取り付けるから、施工者の手が挿入可能な隙間を通して帯状の防水シートを庇の隙間を通過させて防水シート又は防水シート被覆金属板の端まで延長したり、この庇の隙間部分における防水シート又は防水シート被覆金属板に帯状の防水シートの側縁部を水密に接合させることができ、簡単に施工できる。
【００５３】
又、接続部材を屋根ユニットの庇と隣の屋根ユニットの庇とに架け渡し、隙間を覆った状態に取り付けるから、庇と隣の屋根ユニットの庇との隙間から雨水が漏れなくなる。
【００５４】
請求項５記載の発明では、施工者の手が挿入可能な隙間が２５０ｍｍ以上であるから、この隙間から施工者が手を挿入することができる。
【図面の簡単な説明】
【図１】本発明の一実施例を示すもので、（イ）は陸屋根の平面図、（ロ）は（イ）のＡ部分の接続部材を取り外した状態を示す説明図である。
【図２】図１（イ）のＢ−Ｂ線における断面図である。
【図３】図１（イ）のＣ部分の屋根ユニットの一部切欠説明図である。
【図４】（イ）は建物ユニットの説明図、（ロ）は外壁部分の壁の構造を示す説明図である。
【図５】ユニット建物を示す説明図である。
【符号の説明】
１                    ユニット建物
２                    建物ユニット
３                    屋根ユニット
３１                  陸屋根本体
４                    壁
５                    防水シート又は防水シート被覆金属板
６                    帯状の防水シート
７                    庇
Ｘ                    庇の控えた距離
（ほぼ２Ｘが庇と隣の庇との隙間である）
８                    庇接続部材
【図１】
0003874522.tif 000002
【図２】
0003874522.tif 000003
【図３】
0003874522.tif 000004
【図４】
0003874522.tif 000005
【図５】
0003874522.tif 000006